(57)【要約】【課題】電線ガイド体が踏み付けられても損傷しないようにする。【解決手段】  複数のリンク部材が回動可能に連結されて構成され、これら連結された前記リンク部材の内部に車両ボディとスライドドア１との間に架け渡される電線が挿通され、スライドドア１の開閉に伴って屈曲変位可能に構成される電線ガイド体３を備えた電線ガイド装置であり、車両ボディに取付けられ電線ガイド体３の一端部が離間可能に連結されるボディ側ブラケット５と、スライドドア１に取付けられ電線ガイド体３の他端部が離間可能に連結されるドア側ブラケット６とを備え、ボディ側ブラケット５と電線ガイド体３の一端部との離脱荷重は、ドア側ブラケット６と電線ガイド体３の他端部との離脱荷重よりも低く設定されている。【選択図】図１
2015101131.tif 000002
【特許請求の範囲】
【請求項１】
複数のリンク部材が回動可能に連結されて構成され、これら連結された前記リンク部材の内部に車両ボディとスライドドアとの間に架け渡される電線が挿通され、前記スライドドアの開閉に伴って屈曲変位可能に構成される電線ガイド体を備えた電線ガイド装置であって、
前記車両ボディに取付けられ前記電線ガイド体の一端部が離間可能に連結されるボディ側ブラケットと、
前記スライドドアに取付けられ前記電線ガイド体の他端部が離間可能に連結されるドア側ブラケットとを備え、
前記電線ガイド体の一端部と前記ボディ側ブラケットとの間の離脱荷重と、前記電線ガイド体の他端部と前記ドア側ブラケットとの間の離脱荷重との間には高低差が設定されていることを特徴とする電線ガイド装置。
【請求項２】
前記ボディ側ブラケットは、前記車両ボディのうち前記スライドドアによって開閉される車両乗降口に配されるとともに、前記ボディ側ブラケットと前記電線ガイド体の一端部との離脱荷重は、前記ドア側ブラケットと前記電線ガイド体の他端部との離脱荷重よりも低く設定されていることを特徴とする請求項１に記載の電線ガイド装置。
【発明の詳細な説明】
【技術分野】
【０００１】
本発明は電線ガイド装置に関するものである。
【背景技術】
【０００２】
従来より、自動車のスライドドア内に装着された電装品への給電を行うために、車両ボディ側とスライドドア側との間にワイヤハーネスが架設されてきた。このようなワイヤハーネスを配索する技術を開示するものとして、下記特許文献１が知られている。
【０００３】
ここには、内部にワイヤハーネスを挿通させる電線ガイド体に関する構成が開示されている。こうした電線ガイド体の両端部はボディ側とスライドドア側に設けられたブラケットにそれぞれ接続されている。電線ガイド体は複数のリンク部材同士を回動可能に連結した構成であり、スライドドアの開閉動作に伴って屈曲変位するようになっている。
【先行技術文献】
【特許文献】
【０００４】
【特許文献１】特開２００４−２５９９９号公報
【発明の概要】
【発明が解決しようとする課題】
【０００５】
ところで、電線ガイド体のボディ側端部を連結するボディ側ブラケットは、スライドドアによって開閉される乗降口のステップ部分の後部に配置されている。したがって、搭乗者が電線ガイド体のボディ側端部に近い部位を踏み付けてしまう可能性がある。このため、電線ガイド体の途中部位で折損に至ってしまう懸念があった。
【０００６】
本発明は上記のような事情に基づいて完成されたものであって、電線ガイド体が誤って踏み付けられた場合であっても、電線ガイド体を損傷に至らせることがない電線ガイド装置の提供を目的とする。
【課題を解決するための手段】
【０００７】
本発明の電線ガイド装置は、複数のリンク部材が回動可能に連結されて構成され、これら連結されたリンク部材の内部に車両ボディとスライドドアとの間に架け渡される電線が挿通され、スライドドアの開閉に伴って屈曲変位可能に構成される電線ガイド体を備えた電線ガイド装置であって、車両ボディに取付けられ電線ガイド体の一端部が離間可能に連結されるボディ側ブラケットと、スライドドアに取付けられ電線ガイド体の他端部が離間可能に連結されるドア側ブラケットとを備え、電線ガイド体の一端部とボディ側ブラケットとの間の離脱荷重と、電線ガイド体の他端部とドア側ブラケットとの間の離脱荷重との間には高低差が設定されていることを特徴とする。
【発明の効果】
【０００８】
本発明によれば、電線ガイド体が踏み付けられた場合、電線ガイド体は、ボディ側ブラケットあるいはドア側ブラケットのいずれか一方側が他方側に優先して連結が外れる。仮に、両端部での離脱荷重を等しく設定すると、双方同時に連結が外れる可能性があり、修復のための連結作業に手間取る。しかし、本発明のようにすれば、離脱荷重の低い側が専ら外れるため、連結作業は一箇所で済み、修復作業を短時間で行うことができる。
【図面の簡単な説明】
【０００９】
【図１】スライドドアの開閉に伴って電線ガイド体が屈曲変位する様子を示す平面図
【図２】ボディ側ブラケットと電線ガイド体との連結状況を示す平面図
【図３】ボディ側端部リンク部材の平面図
【図４】規制突部がボディ側ブラケットに干渉している状況を示す側面図
【図５】ボディ側ブラケットと電線ガイド体との連結状態を示す側断面図
【図６】位置決め機構による位置決め状態が解除されたときの状況を示す側断面図
【図７】電線ガイド体が離間した状態を一部破断して示す平面図
【図８】同じく側断面図
【図９】ドア側ブラケットと電線ガイド体との連結状況を示す側断面図
【図１０】同じく連結が外れたときの状況を示す側断面図
【発明を実施するための形態】
【００１０】
本発明における好ましい実施の形態を説明する。
本発明の電線ガイド装置は、前記ボディ側ブラケットは、前記車両ボディのうち前記スライドドアによって開閉される部位に配されるとともに、前記ボディ側ブラケットと前記電線ガイド体の一端部との離脱荷重は、前記ドア側ブラケットと前記電線ガイド体の他端部との離脱荷重よりも低く設定されている構成とすることが好ましい。
【００１１】
スライドドアが開放された状態では、ドア側ブラケットと電線ガイド体の連結端部はスライドドアと車両ボディとの間に挟まれた状態にある。仮に、この状態で電線ガイド体が踏み付けられてドア側ブラケットから連結が外れてしまう事態が生じたとしても、かかる事態を外部から視認しにくい。しかし、上記した構成によれば、スライドドアが開放されている状態で電線ガイド体が踏み付けられたときにおいても、外部から視認容易なボディ側ブラケットにおいて連結が外れるため、かかる事態の発見が容易かつ確実である。
【００１２】
次に、本発明のを具体化した実施例１及び２について、図面を参照しつつ説明する。
図１はスライドドア１を有する自動車において、スライドドア１によって開閉される乗降口２の周辺を示している。同図に示すように、車両ボディ側（乗降口２の後部）とスライドドア１との間には電線ガイド装置Ｇが架設されている。本実施例に係る電線ガイド装置Ｇは電線ガイド体３を有している。電線ガイド体３の内部には複数本の電線束よりなるワイヤハーネスＷＨが挿通されていて、スライドドア１内に装備された電装品（図示しない）等への給電を可能にしている。また、図２，７に示すように、電線ガイド体３は可撓性を有するゴム製の保護チューブ４内に挿通されている。
【００１３】
図１に示すように、電線ガイド体３のボディ側への取付けは乗降口２の後部に配されたボディ側ブラケット５によってなされ、スライドドア１側への取付けはスライドドア１の後部に配されたドア側ブラケット６によってなされている。
【００１４】
電線ガイド体３は、長手方向の両端部に配された端部リンク部材８，９と、これらの間に配された複数の中間リンク部材７とによって構成されている。両端部リンク部材８，９とこれに隣接した中間リンク部材７同士、及び中間リンク部材７同士はいずれも回動可能に連結されている。
【００１５】
また、ドア側端部リンク部材８はドア側ブラケット６に対し回動可能に連結されるが、ボディ側端部リンク部材９はボディ側ブラケット５に対し回動不能な状態で連結されている。これらのことによって、電線ガイド体３はスライドドア１の開閉に伴って略水平面内で湾曲しつつ変位可能である。図１はそのときの変位状況を示しており、電線ガイド体３が実線で示されている状態がスライドドア１の開閉途上の半開状態、ドア側ブラケット６が図示右方に位置する、想像線にて示された状態がスライドドア１の全開状態、ドア側ブラケット６が図示左方に位置する、想像線にて示された状態がスライドドア１の全閉状態を示している。
【００１６】
各中間リンク部材７は合成樹脂材にて略角筒状に形成され、連結方向に沿う方向の両端面が開口して形成されている。各中間リンク部材７の下面は平面状に形成されるが、上面は中央部で段差１０が形成されている。また、上下両面は連結方向である前後両方向へ、一部が突出するように形成されている。さらに、上下面における一端寄りの部位には同軸で連結孔１１が貫通して形成され、他端寄りの部位には連結突起１２が外向きにかつ同軸で突出形成されている。そして、隣接する中間リンク部材７の各連結孔１１が当該中間リンク部材７の連結突起１２にそれぞれ回動可能に嵌め込まれる。この作業を順に繰り返すことによって、複数の中間リンク部材７を順次回動可能に連結してゆくことができる。
【００１７】
ボディ側端部リンク部材９も全体は合成樹脂材にて一体に形成されている。図３等に示すように、ボディ側端部リンク部材９は略角筒状に形成された本体部１３を有しており、連結方向に沿う両端面が開口して形成されていて、ワイヤハーネスＷＨを挿通可能としている。本体部１３の上板１３Ａおよび下板１３Ｂからは隣接する中間リンク部材７との連結のために上下に連結片１４Ａ，１４Ｂが配されている。上下の連結片１４Ａ，１４Ｂは本体部１３の上板１３Ａおよび下板１３Ｂの肉厚に比べて薄肉に形成されている。また、上下の連結片１４Ａ，１４Ｂの各外面には連結突部１５が同軸で形成されており、隣接する中間リンク部材７の連結孔１１に嵌め込まれている。これにより、ボディ側端部リンク部材９に対し中間リンク部材７が回動可能に連結される。
【００１８】
図５に示すように、ボディ側端部リンク部材９における本体部１３の下板１３Ｂ側であって、前端部寄り（ボディ側ブラケット５への差し込み方向前端部寄り）の中央部には、位置決め用の横溝１７が全幅に亘って形成されている。この位置決め用の横溝１７は、図５に示すように、後端が切り立ち、これより前部側のは緩い勾配の傾斜面をもって形成されている。また、本体部１３における両側板１３Ｃの中央部にはほぼ全高さ範囲に亘って位置決め用の縦溝１８が凹み形成されている。本実施例の場合、縦溝１８と横溝１７とは前後方向に関して一部が重なるように形成されている。
【００１９】
本体部１３の両外側面には保護チューブ４を引っ掛けて装着するための一対の装着ピン３３が突出して形成されている。両装着ピン３３は図４に示すように、高さ方向の中央部に配され、突出端部は縦長に形成されている。同図に示すように、本体部１３の両外側面における下縁部寄りには規制突部１６（嵌合深さ規制部）が突出して形成されている。両規制突部１６は、両装着ピン３３よりやや前部に位置しており、前端縁は半円形状に形成されている。この規制突部１６は図４に示すように、通常時においてボディ側ブラケット５の開口縁部に当接することで、ボディ側端部リンク部材９がボディ側ブラケット５内に嵌まり込む深さを規制する役割りを果たす。
【００２０】
次に、ボディ側ブラケット５について説明すると、ボディ側ブラケット５は上方に開口する基体部５Ａと、基体部５Ａに対し上方から取り外し可能に被せ付けられる蓋部５Ｂとから構成されている。基体部５Ａは底壁と底壁の端縁から直角に起立した一対の側壁とから構成されており、両者は図示しないロック手段によって合体してボディ側ブラケット５を構成し、全体は車両ボディ側へ固定可能となっている。
【００２１】
ボディ側ブラケット５は、平面視で全体として略Ｌ字形状に形成されており、両端部と屈曲部の三つの部位において開口している。ボディ側ブラケット５において、図２に示す手前側の部分には、この部分における開口に対してボディ側端部リンク部材９が差し込まれる差込み部２０となっている。
【００２２】
差込み部２０の上壁２０Ａには、図２等に示すように、一対のスリット２１が貫通して形成されている。両スリット２１は電線ガイド体３の差し込み方向に沿って所定長さ範囲に亘って形成されている。このことにより、差込み部２０の上壁２０Ａの幅方向中央部には両端が連結されて両持ち梁状となった解除壁２２が外方へ撓み可能に形成されている。また、解除壁２２の幅寸法はボディ側端部リンク部材９の本体部１３の幅寸法より小さい設定となっている。
【００２３】
差込み部２０の下壁２０Ｂの中央部には接続用突起２４が突出形成されている。接続用突起２４は平面視で略正方形をなす輪郭形状をしている。接続用突起２４は奥側の端面が略鉛直に切り立って形成され、その突出端からは電線ガイド体３の差込み部２０の開口（差込み口２０Ｃ）側に向けて下り勾配となる傾斜面２４Ａが形成されている。接続用突起２４はボディ側端部リンク部材９の位置決め用の横溝１７に適合して嵌り合うように形成され、ボディ側端部リンク部材９に対する簡易な抜け止めを行っている。接続用突起２４と位置決め用の横溝１７との高さ方向の係止代は、図６に示す傾斜角度（以下、この角度を外れ傾斜角という。）にまでボディ側端部リンク部材９が傾動したときに、位置決め用の横溝１７と接続用突起２４との係止が解除される設定となっている。
【００２４】
差込み部２０の下面は接続用突起２４の前方から差込み口２０Ｃの開口縁にかけて逃がし斜面２５が形成されている。この逃がし斜面２５はボディ側端部リンク部材９が外れ傾斜角まで傾動することを許容するための逃がしである。
【００２５】
さらに、差込み部２０内の両側壁２０Ｄにおける長手方向の中央部には一対の位置決め突起２６が内方へ向けて突出して形成されている。両位置決め突起２６は基体部５Ａの側壁内の上縁部寄りの高さ位置に設けられ、前後方向に関しては平面視で接続用突起２４を幅方向で挟む位置に設けられている。両位置決め突起２６は、図２等に示すように、ボディ側端部リンク部材９の両位置決め用縦溝１８と嵌り合うことができる。そして、ボディ側端部リンク部材９が外れ傾斜角まで傾動したときには、両位置決め突起２６と位置決め用の縦溝１８との係止が外れるように設定されている。
【００２６】
なお、両位置決め突起２６と位置決め用の縦溝１８との係止構造と、接続用突起２４と位置決め用の横溝１７との係止構造とが本発明の位置決め機構（抜け止め機構）を構成する。
【００２７】
かくして、ボディ側端部リンク部材９は差込み部２０内において位置決め用横溝１７と接続用突起２４との嵌り合い及び位置決め突起２６と位置決め用縦溝１８との嵌り合いを通じて、ボディ側ブラケット５とボディ側端部リンク部材８との位置関係が規定されている。また、このときには前記した両規制突部１６が、差込み口２０Ｃの開口縁の下端部に当接している。したがって、ボディ側端部リンク部材８は両規制突部１６を中心に上向きに傾動すると共に、両規制突部１６によって、これ以上に深く差込み部２０内に嵌り込まないため、ボディ側端部リンク部材９が上向きに傾動しても、上記した位置関係はそのまま保持される。さらに言えば、ボディ側端部リンク部材９の先端部は、解除壁２２が最も撓み変形しやすい差込み方向の中央部に位置するように位置決めされている。
【００２８】
図２等に示すように、ボディ側ブラケット５において、差込み部２０より差し込み方向前方には、電線ガイド体３からボディ側ブラケット５内に導出されたワイヤハーネスＷＨを収容するためのハーネス収容部２７が連続している。ハーネス収容部２７には、電線ガイド体３の差し込み方向と略直交する方向に向けて開口する第１・第２の導出口２８、２９が設けられており、ワイヤハーネスＷＨはボディ側端部リンク部材９から導出された後に、その一部（第１ハーネスＷＨ１）は第１導出口２８から外部へ導出され、残余（第１ワイヤハーネスＷＨ１の下側に配索された第２ハーネスＷＨ２）は第２導出口２９から外部へ導出されるようにしてある。
【００２９】
本実施例では、通常時では、ワイヤハーネスＷＨはハーネス収容部２７内においてそれぞれ迂回経路に沿って配索されるようになっている。すなわち、図２に示すように、ハーネス収容部２７内において基体部５Ａからは第１・第２の引っ掛けピン３０，３１が突出形成されている。第１ハーネスＷＨ１は電線ガイド体３から導出された後、第１引っ掛けピン３０に外側から掛け回された後、第１導出口２８へ向かう経路に沿って配索される。第２ハーネスＷＨ２は電線ガイド体３から導出された後、第２引っ掛けピン３１に外側から掛け回された後、第２導出口２９へ向かう経路に沿って配索される。但し、第１・第２の引っ掛けピン３０，３１は基体部５Ａからの突出高さが低く、第１・第２ハーネスＷＨ１，ＷＨ２に対する引っ掛かりが比較的浅くしてあり、電線ガイド体３がボディ側ブラケット５から脱落することに伴ってワイヤハーネスＷＨが同ブラケットから抜き取られる方向に引っ張られると、第１・第２ハーネスＷＨ１，ＷＨ２は共に第１・第２の引っ掛けピン３０，３１との掛け止め状態が解除され、図７に示すような直行経路に沿う状態へ移行する。
【００３０】
なお、ボディ側ブラケット５の基体部及び蓋部は共に比較的軟質の樹脂材（例えば、ポリプロピレン製）にて形成されるのに対し、ボディ側端部リンク部材９を含め電線ガイド体３は比較的硬質の樹脂材（例えばガラス繊維入りのナイロン製）にて形成されている。すなわち、規制突部１６や装着ピン３３が一体に突出形成されているボディ側端部リンク部材９が硬質樹脂材にて形成されているから、これら突出物が損傷してしまうのを有効に緩和することができる。
【００３１】
次に、図９、１０によってドア側ブラケット６と電線ガイド体３との連結構造について説明する。
ドア側端部リンク部材８は、上側部材８Ａと下側部材８Ｂとから構成され、これらは連結手段を介して連結され、全体として中空のブロック状に形成されている。また、ドア側端部リンク部材８において下側部材８Ｂからは下側連結片８Ｂ−１が後方へ向けて延出し、隣接する中間リンク部材７と回動可能に連結されている。ドア側端部リンク部材８の上側部材８Ａからは上側連結片８Ａ−１が後方へ向けてかつ下側連結片８Ｂ−１と対向するようにして延出している。両連結片８Ａ−１、８Ｂ−１には接続孔４４が開口し、隣接する中間リンク部材７の連結突起１２が嵌合することで、ドア側端部リンク部材８と中間リンク部材７とが回動可能に連結されている。
【００３２】
下側部材８Ｂには下方へ向けて支持筒３４が一体に突出形成されている。支持筒３４の付け根部分の周面は弧状の支持面３５が形成されている。一方、上側部材８ＡにはワイヤハーネスＷＨの通過口３６が開口して形成されており、この通過口３６は支持筒３４とほぼ同軸をなして形成されている。
【００３３】
ドア側ブラケット６について説明すると、ドア側ブラケット６はスライドドア１の内部に装着されている。ドア側ブラケット６は電線ガイド体３が接続される中空ブロック状の接続部３７を有している。また、接続部３７にはスライドドア１側への取付けのための装着用フランジ部３８が張出し形成されている。接続部３７の前面には電線ガイド体３のドア側端部リンク部材８を挿通させるための挿入用開口３９が設けられている。接続部３７の上部には筒状のハーネス導出部４０が突出して形成されている。ハーネス導出部４０の内部には接続部３７の内部に連通し上端に開口するハーネス導出路４１が形成されており、接続部３７に電線ガイド体３が接続されたときには、通過口３６とハーネス導出路４１が連通するようになっている。
【００３４】
また、接続部３７の底面には受け面４２を介して係止孔４３が貫通して形成されている。受け面４２は円弧面となっており、係止孔４３はその中心部に形成されている。係止孔４３はドア側端部リンク部材８の支持筒３４が回動可能に嵌め入れられ、このときには支持面３５は受け面４２上に載置されて支持される。係止孔４３は図９，１０に示すように、外側へ向けて孔径が拡径するように形成され、支持筒３４の外周面との間に十分なクリアランスが保有されるようにしてある。すなわち、係止孔４３はドア側端部リンク部材８が傾動することを許容し、ドア側端部リンク部材８が所定角度傾斜した状態でドア側ブラケット６から引き抜かれる方向の強い外力を受けた場合に、支持筒３４を脱落させ電線ガイド体３をドア側ブラケット６から離脱させうるようになっている。
【００３５】
但し、このときの離脱荷重は、電線ガイド体３がボディ側ブラケット５から離脱するときの離脱荷重よりも十分に大きい設定としてある。したがって、電線ガイド体３が踏み付けられて電線ガイド体３に押し下げ方向の力が作用したときには、電線ガイド体３のドア側及びボディ側のいずれの端部も上向きに傾斜してドア側ブラケット６及びボディ側ブラケット５から離脱しようとするが、上記のようにドア側の離脱荷重の方がボディ側に比べて十分に大きい設定としてあるため、電線ガイド体３はもっぱらボディ側においてのみ離脱されることになる。
【００３６】
次に、ボディ側ブラケット５から電線ガイド体３が外れるときの動作を説明する。電線ガイド体３の途中の部位が乗員によって踏み付けられると、電線ガイド体３は下方への押し下げ力を受けるため、ボディ側端部リンク部材９は上向きに傾動しようとする。このときには、前述したように、規制突部１６がボディ側ブラケット５の差込み口２０Ｃの開口縁に当接してこれ以上に深くはボディ側ブラケット５内に嵌り込むことはなく、ボディ側端部リンク部材８は両規制突部１６を中心に傾動する。そして、ボディ側端部リンク部材９が外れ傾斜角度に達すると、図６に示すように、両位置決め突起２６と位置決め用縦溝１８との嵌り合い、及び位置決め用横溝１７と接続用突起２４との嵌り合いが脱せられるとともに、ボディ側端部リンク部材９は解除壁２２の長手方向の中央部を突き上げるため、解除壁２２は外方へ容易に撓み変形する。かくして、ボディ側端部リンク部材９は電線ガイド体３の踏み付けに伴う引っ張り力の作用により、図７，８に示すように、ボディ側ブラケット５の差込み部２０から抜け出て離間する。
【００３７】
こうして電線ガイド体３が踏み付けられたときに、電線ガイド体３がボディ側ブラケット５から脱落するため、電線ガイド体３が途中で折れてしまったり、あるいは変形を生じてしまう、という事態を未然に回避することができる。
【００３８】
以上の効果に加え、本実施例では次の作用効果も発揮される。すなわち、本実施例では、ボディ側ブラケット５よりもボディ側端部リンク部材９をより硬度の高い樹脂材にて形成している。つまり、解除壁２２のような弾性が求められる部位を有する側は比較的柔らかい材質にて形成し、規制突部１６のような損傷が懸念される突出物を有する部材を比較的硬い材質にて形成されるようにしてあるため、合理的な材料選定となっている。
【００３９】
さらに、前述したように、電線ガイド体３が踏み付けられた場合、電線ガイド体３は、ドア側よりもボディ側が優先して連結が外れるようになっている。仮に、両端部での離脱荷重を等しく設定すると、双方共に連結が外れる可能性があり、修復のための連結作業に手間取る。その点、本実施例のようにすれば、離脱荷重の低い側であるボディ側ブラケット５において専ら外れるため、連結作業は一箇所で済み、修復作業を短時間で行うことができる。
【００４０】
特に、電線ガイド体３が優先的に外れる側をボディ側ブラケット５としたことによって外れたことを発見しやすい、という効果が得られる。すなわち、スライドドアが開放された状態では、ドア側ブラケット６と電線ガイド体３の連結端部はスライドドア１と車両ボディとの間に挟まれた状態にあるため、仮に、ドア側ブラケット６において優先的に外れる設定としてしまうと、かかる事態を外部から視認しにくい。その点、ボディ側ブラケット５であれば、乗降口２の付近に配置されているため、連結が外れたことを容易に発見することができる。
【００４１】
＜他の実施例＞
本発明は上記記述及び図面によって説明した実施例に限定されるものではなく、例えば次のような実施例も本発明の技術的範囲に含まれる。
（１）上記実施例では規制突部を端部リンク部材の両側面に設けたが、下面に設けてもよい。
（２）上記実施例では、ボディ側ブラケットの上面壁に撓み可能な解除壁を形成したが、これに代えて上面壁に開口を設け、この開口を通して端部リンク部材の先端部を外方へ突出させることで、端部リンク部材が傾斜姿勢をとることができるようにしてもよい。
【符号の説明】
【００４２】
１…スライドドア
３…電線ガイド体
５…ボディ側ブラケット
６…ドア側ブラケット
７…中間リンク部材
８…ドア側端部リンク部材
９…ボディ側端部リンク部材
１６…規制突部（嵌合深さ規制部）
１７…横溝（位置決め機構）
１８…縦溝（位置決め機構）
２１…スリット
２２…解除壁
２４…接続用突起（位置決め機構）
２６…位置決め突起（位置決め機構）
ＷＨ…ワイヤハーネス
【図１】
2015101131.tif 000003
【図２】
2015101131.tif 000004
【図３】
2015101131.tif 000005
【図４】
2015101131.tif 000006
【図５】
2015101131.tif 000007
【図６】
2015101131.tif 000008
【図７】
2015101131.tif 000009
【図８】
2015101131.tif 000010
【図９】
2015101131.tif 000011
【図１０】
2015101131.tif 000012